(57)【要約】【課題】主として、鳥が電柱用の腕金に止まったり、営巣したりすることができないようにするためのバーを備え、副次的に、このバーが折損しにくように支柱に取り付けられ、さらに支柱も折損しにくいようにした鳥害防止具を提供する。【解決手段】本発明の電柱用の鳥害防止具は、電柱用の腕金１に鉛直姿勢に取り付けられる支柱１０と、該支柱１０に水平姿勢に取り付けられた可撓性を有する絶縁性のバー２０とが備えられている。バー２０は、電柱用の腕金１と同一方向となるように弾性部材３０によって支柱１０に取り付けられている。また、支柱１０は、鉛直姿勢を維持する基端側部分１１と揺動自在の先端側部分１２とに分割され、基端側部分１１と先端側部分１２との接続部分に傾倒姿勢とされた先端側部分１２を鉛直姿勢に復帰させる接手１３が連結されている。【選択図】図１
2008228647.tif 000002
【特許請求の範囲】
【請求項１】
電柱用の腕金に鉛直姿勢に取り付けられる支柱と、
該支柱に水平姿勢に取り付けられた可撓性を有する絶縁性のバーとが備えられていることを特徴とする電柱用の鳥害防止具。
【請求項２】
前記バーは、電柱用の腕金と同一方向となるように支柱に取り付けられていることを特徴とする請求項１に記載の電柱用の鳥害防止具。
【請求項３】
前記バーは、弾性部材によって支柱に取り付けられていることを特徴とする請求項１又は２に記載の電柱用の鳥害防止具。
【請求項４】
前記支柱は、鉛直姿勢を維持する基端側部分と揺動自在の先端側部分とに分割され、基端側部分と先端側部分との接続部分に傾倒姿勢とされた先端側部分を鉛直姿勢に復帰させる接手が連結されていることを特徴とする請求項１から３のいずれか１項に記載の電柱用の鳥害防止具。
【発明の詳細な説明】
【技術分野】
【０００１】
本発明は、電柱の上部に固定された腕金にカラスなどの鳥が飛来したり、営巣したりすることができないようにした電柱用の鳥害防止具に関し、詳しくは、前記腕金に鉛直姿勢に取り付けられる支柱と、この支柱に水平姿勢に取り付けられるバーとが備えられている電柱用の鳥害防止具に関する。
【背景技術】
【０００２】
カラスなどの鳥が電柱の上部に固定された腕金やこの腕金に架設された電線などに止まることがある。腕金や電線に止まった鳥が排泄すると、排泄物が腕金に固定された碍子や電線に付着し、電線を劣化させ、さらに、地上に落下したりすることがある。また、ワイヤーハンガーのような導電体によって腕金に営巣されると、導電体と電線とがショートしてしまい、停電などの事故を引き起こす。
【０００３】
このため、腕金や電線に鳥が止まったり、営巣したりすることができないようにした電柱用の鳥防止具が各種提案されている。例えば、特許文献１には、送電線支持部（腕金）や送電線（電線）に着脱自在に固着される固着具と、この固着具に鉛直姿勢に立設される合成樹脂製の支持部材（支柱）と、この支持部材（支柱）の先端又は中間部に、送電線の長さ方向に沿って取り付けられる合成樹脂製の絶縁性細線（バー）とを備えた鳥害防止装置が開示されている。
【０００４】
この鳥害防止装置によれば、絶縁性細線が送電線の方向に沿って送電線と平行に配置されることにより、送電線に止まろうと飛来してきた鳥は、送電線の上方に位置している絶縁性細線が邪魔となって送電線に止まることができず、また、鳥が絶縁性細線に止まろうとしても、絶縁性細線が揺動することによって絶縁性細線に止まることができない。したがって、この鳥害防止装置は、鳥の排泄物被害などの鳥害を防止することができる。
【０００５】
【特許文献１】特開平１０−１４４７４号公報
【発明の開示】
【発明が解決しようとする課題】
【０００６】
特許文献１に開示された鳥害防止装置は、鳥が送電線に止まることができないようにするため、また、市街地の景観を損ねないようにするため、絶縁性細線が送電線の長さ方向に沿うように支持部材に取り付けられている。したがって、この鳥害防止装置は、絶縁性細線の方向が送電線支持部と直交するため、鳥が送電線支持部に止まることを防止できず、送電線支持部に営巣されることがある。
【０００７】
また、特許文献１に開示された鳥害防止装置は、鳥が絶縁性細線に止まることができないようにするため、絶縁性細線が揺動可能に支持部材に取り付けられてされている。しかし、絶縁性細線が揺動すると、絶縁性細線と支持部材との取付け部分に応力が生じ、この取付け部分が折損しやすくなる。さらに、支持部材は固定具に立設されているため、絶縁性細線が揺動することによって支持部材が揺動し、支持部材が固定具に立設されている部分において折損することがある。
【０００８】
そこで、本発明は、主として、鳥が電柱用の腕金に止まったり、営巣したりすることができないようにするためのバーを備え、副次的に、このバーが折損しにくように支柱に取り付けられ、さらに支柱も折損しにくいようにした鳥害防止具を提供することを課題とする。
【課題を解決するための手段】
【０００９】
本発明に係る電柱用の鳥害防止具は、電柱用の腕金に鉛直姿勢に取り付けられる支柱と、該支柱に水平姿勢に取り付けられた可撓性を有する絶縁性のバーとが備えられていることを特徴としている。
【００１０】
この電柱用の鳥害防止具によれば、電柱用の腕金に支柱が鉛直姿勢に取り付けられ、この支柱に絶縁性のバーが水平姿勢に取り付けられることにより、鳥が電柱用の腕金に近付いてきても、鳥は、バーが邪魔となって電柱用の腕金に止まることができない。さらに、バーが可撓性を有していることにより、鳥がバーに止まろうとすると、バーは撓曲するため、鳥はバーに止まることができない。また、バーに止まろうとした鳥の体重（荷重）がバーに加えられたとしても、バーが撓曲することにより、バーが支柱に取り付けられている部分には応力が生じず、したがって、バーは折損することがない。
【００１１】
また、前記本発明に係る電柱用の鳥害防止具において、前記バーは、電柱用の腕金と同一方向となるように支柱に取り付けられていることが好ましい。
【００１２】
この電柱用の鳥害防止具によれば、バーが電柱用の腕金と同一方向となるように支柱に取り付けられていることにより、鳥は電柱用の腕金に止まることができなくなる。
【００１３】
また、前記本発明に係る電柱用の鳥害防止具において、前記バーは、弾性部材によって支柱に取り付けられていることが好ましい。
【００１４】
この電柱用の鳥害防止具によれば、バーが弾性部材によって支柱に取り付けられていることにより、バーが支柱に取り付けられている部分が折損しないようにすることができる。すなわち、鳥がバーに止まろうとしたときに、鳥の体重（荷重）によってバーが撓曲するが、このとき、バーと支柱との取付け部分に加えられる荷重が弾性部材によって吸収され、バーと支柱との取付け部分が折損しないようにすることができる。
【００１５】
また、前記本発明に係る電柱用の鳥害防止具において、前記支柱は、鉛直姿勢を維持する基端側部分と揺動自在の先端側部分とに分割され、基端側部分と先端側部分との接続部分に傾倒姿勢とされた先端側部分を鉛直姿勢に復帰させる接手が連結されていることが好ましい。
【００１６】
この電柱用の鳥害防止具によれば、支柱が基端側部分と先端側部分とに分割され、この接続部分に傾倒姿勢とされた先端側部分を鉛直姿勢に復帰させる接手が連結されていることにより、鳥がバーに止まろうとして、バーに体重（荷重）が加えられると、先端側部分が傾倒姿勢となるため、支柱にモーメントが生じず、支柱が折損しないようにすることができる。そして、バーに荷重が加えられなくなると、接手によって傾倒姿勢となった先端側部分が鉛直姿勢とに復帰し、バーが元の水平姿勢となって、鳥がバーや電柱用の腕金に止まらないようにすることができる。
【発明の効果】
【００１７】
本発明によれば、水平姿勢の絶縁性のバーを取り付ける鉛直姿勢の支柱が電柱用の腕金に取り付けられることにより、鳥が電柱用の腕金に止まることができず、電柱用の腕金に営巣されないようにすることができる。そして、バーが可撓性を有していることにより、鳥がバーに止まりにくくなり、また、止まろうとしたバーに荷重が加えられても、バーは撓（しな）ることによって、折損しにくく、耐久性を有するものとすることができる。
【発明を実施するための最良の形態】
【００１８】
本発明に係る電柱用の鳥害防止具（以下、「鳥害防止具」という。）の一実施形態について図１ないし図４を参照しながら説明する。この鳥害防止具は、図１に示すように、電柱用の腕金（以下、「腕金」という。）１に鉛直姿勢に取り付けられる支柱１０と、この支柱１０に水平姿勢に取り付けられた可撓性を有する絶縁性の２本のバー２０，２０とが備えられていることを特徴としている。
【００１９】
このバー２０は、腕金１と同一方向になるように、かつ、腕金１に固定された碍子（図示せず）に接触しない長さで支柱１０に取り付けられている。したがって、２本のバー２０，２０は、腕金１と平行な直線状に配列される。また、図１には、自重によって撓曲したバー２０を示してあるが、バー２０の材質や長さなどによって、図示したほど撓曲せず、あるいは腕金１と平行に配列される場合もある。いずれにしても、バー２０は、感電しないようにアクリルなどの絶縁物によって成形され、鳥が止まろうとして体重（荷重）が加えられると、撓曲する。
【００２０】
そして、バー２０は、弾性部材３０によって支柱１０に取り付けられている。弾性部材３０は、図２に示すような円筒圧縮コイルバネ、あるいは図示しない板バネ、軸状又は筒状のゴムによって成形されている。ただし、円筒圧縮コイルバネは、小さな径でありながら、径方向の外力が加えられたときに、スムーズに撓曲し、この外力が加えられなくなると、スムーズに元の直線状に復帰するため、弾性部材３０として好適に使用することができる。また、円筒圧縮コイルバネが樹脂によって成形されることにより、錆びることなく、耐久性を向上させ、さらに、感電などの事故を防止することができる。
【００２１】
いずれにしても、弾性部材３０の両端部には、コネクタ３１，３２が取り付けられている。一方のコネクタ３１は、支柱１０に取り付けられる。支柱１０の側面に突出部１０ａが水平向きに突設されていると、一方のコネクタ３１は筒状に形成される。この突出部１０ａに雄ネジが形成され、筒状のコネクタ３１に雌ネジが形成されることにより、コネクタ３１を突出部１０ａに交換可能に取り付けることができる。ただし、ネジを形成することなく、突出部１０ａとコネクタ３１とを接着剤によって分離不可能に取り付けてもよい。
【００２２】
また、図示しないが、支柱１０の側面に貫通穴を設け、コネクタ３１がこの貫通穴を貫通し、支柱１０の二方向に突出するようにしてもよい。この場合は、一つのコネクタ３１の両端に弾性部材３０，３０が取り付けられる。
【００２３】
そして、他方のコネクタ３２は、バー２０を固定するために筒状に形成されている。このコネクタの内面とバー２０の外面との間に隙間を設け、この隙間に接着剤３３を充填し、コネクタとバー２０とを一体化してもよいし、隙間を設けず、バー２０をコネクタ内にねじ込むようにして両者３２，２０を一体化してもよい。
【００２４】
そして、支柱１０は、鉛直姿勢を維持する基端側部分１１と、揺動自在の先端側部分１２とに分割され、この基端側部分１１の上端部１１ａと先端側部分１２の下端部１２ａとの接続部分が接手１３によって連結されている。先端側部分１２が揺動自在となるようにするため、図３に示すように、基端側部分１１の上端縁１１ｂは、凹曲面とされ、先端側部分１２の下端縁１２ｂは、前記凹曲面よりも小さな曲率半径の凸曲面とされている。支柱１０は、このような形状とするため、例えばプラスチックによって成形されている。
【００２５】
そして、接手１３は、ゴムなどの弾性体によって筒状に形成され、基端側部分１１と先端側部分１２と先端側部分１２の下端部１２ａとを外嵌し、先端側部分１２が傾倒姿勢とされても、鉛直姿勢に復帰できるようにされている。
【００２６】
そして、支柱１０の基端側部分１１の下端部は、腕金１の天板部１ａと底板部１ｃとに連続するように予め設けられている穿孔部（図示せず）に挿入するだけの軸状としてもよい。この場合は、基端側部分１１の中間部に鍔部（図示せず）が設けられ、この鍔部が腕金１の天板部１ａに支承されるようにし、さらに、支柱１０が周方向に回転しないように、腕金１を保持するホルダー（図示せず）が設けられる。
【００２７】
また、支柱１０の基端部の下端縁１２ｂには、図４に示すような腕金１を保持するクランパ４０を固定してもよい。このクランパ４０は、コ字形のフレーム４１と旋回するレバー４２とが組み合わされる。フレーム４１は、腕金１の天板部１ａ、片方の側板部１ｂ、そして底板部１ｃと接合する天部４１ａ、側部４１ｂ、そして底部４１ｃを一体成形したものである。クランパ４０の天部４１ａは、腕金１の天板部１ａの幅よりも長く突出し、レバー４２がピン４３によって旋回可能に取り付けられている。また、クランパ４０の底部４１ｃも腕金１の底板部１ｃよりも長く形成され、先端側が拡開するように外向きに折曲され、そして中心にレバー４２が入り込む切込みが形成されている。
【００２８】
レバー４２は、固定部４２ａと突起部４２ｂとがピン４３を間に挟んで一体化されている。固定部４２ａは、腕金１の側板部４１ｂよりも長く、先端側には、雄ネジが形成され、この雄ネジには、クランパ４０の底部４１ｃの外面に接合する座金４４とボルト４５が取り付けられる。また、突起部４２ｂは、短く形成されている。
【００２９】
このようなクランパ４０は、図４（ａ）に示すように、レバー４２の突起部４２ｂが下向きとなった姿勢で、天部４１ａ及び底部４１ｃが腕金１の天板部１ａ及び底板部１ｃを挟むように腕金１に嵌め込まれる。すると、レバー４２の突起部４２ｂが腕金１の側板部１ｂに押し当てられ、レバー４２がピン４３を回転軸として旋回する。そして、クランパ４０の側部４１ｂと腕金１の側板部１ｂとが当接した状態となると、レバー４２の固定部４２ａの先端側がクランパ４０の切込み内に入り込み、固定部４２ａが腕金１の他方の側板部１ｂに当接する。そして、座金４４がクランパ４０の底部４１ｃの外面に接合し、ボルト４５が締結されることにより、クランパ４０のレバー４２とフレーム４１とが腕金１を囲み、クランパ４０が腕金１から外れないようにされる。
【００３０】
このようにして腕金１に取り付けられた鳥害防止具は、バー２０が腕金１と同じ方向に向けられている。したがって、鳥は、バー２０が邪魔になって腕金１に止まることができなくなる。また、鳥がバー２０に止まろうとすると、バー２０が可撓性を有していることから、鳥の体重（荷重）によってバー２０が撓曲し、鳥はバー２０に止まることができない。
【００３１】
また、鳥がバー２０に止まろうとしたときに、バー２０に荷重が加えられても、この荷重は、弾性部材３０によって吸収され、バー２０が支柱１０に取り付けられている部分に応力が生じない。さらに、この荷重によって支柱１０にモーメントが加えられるようになっても、支柱１０の先端側部分１２が傾倒することによっても、バー２０が支柱１０に取り付けられている部分にモーメントは生じない。したがって、鳥がバー２０に止まろうとしたときに、バー２０に荷重が加えられても、バー２０が折損することがない。
【００３２】
また、支柱１０の先端側部分１２が傾倒することにより、支柱１０が腕金１に固定されている基端側部分１１に応力が生じない。したがって、したがって、鳥がバー２０に止まろうとしたときに、バー２０に荷重が加えられても、支柱１０が折損することがない。また、支柱１０の先端側部分１２と基端側部分１１とは、接手１３によって連結され、基端側部分１１の上端縁１１ｂが凹曲面とされ、そして、先端側部分１２の下端縁１２ｂが凸曲面とされていることにより、傾倒した先端側部分１２は、自動的に鉛直姿勢に復帰する。
【００３３】
なお、本発明は、前記実施形態に限定することなく、本発明の特許請求の範囲に記載した発明特定事項の範囲内において種々変更することができる。例えば、バー２０は、図５に示すように腕金１の方向に沿う２本に加えて、複数本を支柱１０に取り付けてもよい。
【００３４】
さらに、支柱１０として、エラストマのような可撓性を有する材質のものを使用することができ、この場合は、鉛直姿勢を維持する基端側部分１１と揺動自在の先端側部分１２とに分割しなくてもよい。また、バー２０が例えばエラストマのような可撓性を有する材質で、短く支柱１０に取り付けられるときは、バー２０は弾性部材３０を別途介さないで支柱１０に取り付けることもできる。
【図面の簡単な説明】
【００３５】
【図１】本発明に係る電柱用の鳥害防止具の一実施形態を示す正面図である。
【図２】本発明に係る電柱用の鳥害防止具の一実施形態であって、バーと支柱との取付け部分を示す要部拡大断面正面図である。
【図３】本発明に係る電柱用の鳥害防止具の一実施形態であって、支柱の基端側部分と先端側部分との接続部分を示す要部拡大断面正面図である。
【図４】本発明に係る電柱用の鳥害防止具の一実施形態を示し、（ａ）は電柱用の鳥害防止具を腕金に取り付ける前の状態を示す一部断面側面図、（ｂ）は電柱用の鳥害防止具を腕金に取り付けた後の状態を示す一部断面側面である。
【図５】本発明に係る電柱用の鳥害防止具の前記と異なる実施形態を示す斜視図である。
【符号の説明】
【００３６】
１………腕金
１０……支柱
１１……基端側部分
１２……先端側部分
１３……接手
２０……バー
３０……弾性部材
【図１】
2008228647.tif 000003
【図２】
2008228647.tif 000004
【図３】
2008228647.tif 000005
【図４】
2008228647.tif 000006
【図５】
2008228647.tif 000007